(57)【特許請求の範囲】
【請求項１】
装置本体内に、セキュリティ保護領域である第１の領域と、前記セキュリティ保護領域の外側にある第２の領域と、を有する情報処理装置であって、
前記第１の領域に配置された第１のプロセッサと、
前記第１の領域に配置され、前記第１のプロセッサと接続された読取デバイスと、
前記第２の領域に配置され、前記第１のプロセッサと接続された第２のプロセッサと、
前記第２の領域に配置され、前記第２のプロセッサと接続されたスピーカと、
を備え、
前記第１のプロセッサは、前記読取デバイスから読取情報を取得し、決済に関する処理の情報を前記第２のプロセッサに送り、
前記第２のプロセッサは、前記決済に関する処理に基づいて、前記決済に関する音である決済音の情報を前記スピーカに送り、
前記スピーカは、前記決済音の情報に基づく決済音を出力する、
情報処理装置。
【請求項２】
前記第２のプロセッサは、前記決済に関する処理の種別に基づいて、前記決済音の種別を決定し、
前記スピーカは、決定された決済音の種別に従って、前記決済音を出力する、
請求項１に記載の情報処理装置。
【請求項３】
前記第１の領域に配置され、前記決済に用いられる操作部を備え、
前記決済音は、前記決済のための認証情報が入力されたことを示す認証情報入力音を含み、
前記第１のプロセッサは、
前記操作部を介して前記認証情報の入力情報を取得し、前記入力情報を前記第２のプロセッサに送り、
前記第２のプロセッサは、前記入力情報に基づいて、前記認証情報入力音の情報を前記スピーカに送り、
前記スピーカは、前記認証情報入力音を出力する、
請求項１又は２に記載の情報処理装置。
【請求項４】
前記第１の領域に配置され、前記決済に用いられる非接触通信部、を更に備え、
前記決済音は、前記非接触通信部により通信されたことを示す通信完了音を含み、
前記第１のプロセッサは、
前記非接触通信部により通信されたことを示す通信完了情報を取得し、前記通信完了情報を前記第２のプロセッサに送り、
前記第２のプロセッサは、前記通信完了情報に基づいて、前記通信完了音の情報を前記スピーカに送り、
前記スピーカは、前記通信完了音を出力する、
請求項１〜３のいずれか１項に記載の情報処理装置。
【請求項５】
前記決済音は、前記決済に係る決済処理が完了したことを示す決済完了音を含み、
前記第１のプロセッサは、前記決済処理が完了した場合、決済処理が完了したことを示す決済完了情報を前記第２のプロセッサに送り、
前記第２のプロセッサは、前記決済完了情報に基づいて、前記決済完了音の情報を前記スピーカに送り、
前記スピーカは、前記決済完了音を出力する、
請求項１〜４のいずれか１項に記載の情報処理装置。
【請求項６】
前記第１のプロセッサと前記第２のプロセッサとは、多重の信号線により接続された、
請求項１〜５のいずれか１項に記載の情報処理装置。
【請求項７】
情報処理装置内のセキュリティ保護領域である第１の領域に配置された第１のプロセッサが、決済に関する処理の情報を、前記第１の領域に配置された読取デバイスから読取情報を取得し、前記情報処理装置内の前記セキュリティ保護領域の外側にある第２の領域に配置された第２のプロセッサに送り、
前記第２のプロセッサが、前記決済に関する処理に基づいて、前記決済に関する音である決済音の情報を、前記第２の領域に配置されたスピーカに送り、
前記スピーカが、前記決済音の情報に基づく決済音を出力する、
情報処理方法。
【発明の詳細な説明】
【技術分野】
【０００１】
本開示は、情報処理装置及び情報処理方法に関する。
【背景技術】
【０００２】
従来、電子マネー情報を記憶する記憶体と近距離通信を行い、決済処理を行う決済処理装置が知られている。この決済処理装置は、記憶体から電子マネー情報を取得する取得部と、電子マネー情報に対応する決済処理が完了したことを報知する報知部と、を備える（特許文献１参照）。
【先行技術文献】
【特許文献】
【０００３】
【特許文献１】特開２０１４−１６４５８０号公報
【発明の概要】
【発明が解決しようとする課題】
【０００４】
特許文献１の決済処理装置では、決済に係る処理を行う構成部（例えば決済用ＣＰＵ）が、セキュリティを高く維持可能なセキュリティ保護領域に配置されることが考慮されていない。一方、音を出力するスピーカは、セキュリティ確保の必要性が低く、セキュリティ保護領域外に配置される。この場合、決済処理装置が、セキュリティ保護領域内で必要となった決済に関連する音を、決済処理装置の構成を簡素にして、セキュリティ保護領域外に配置されたスピーカから出力することは困難である。
【０００５】
本開示は、決済に係るセキュリティを高く維持しつつ、簡単な構成で、決済に関連する音を出力できる情報処理装置及び情報処理方法を提供する。
【課題を解決するための手段】
【０００６】
本開示の一態様は、装置本体内に、セキュリティ保護領域である第１の領域と、前記セキュリティ保護領域の外側にある第２の領域と、を有する情報処理装置であって、前記第１の領域に配置された第１のプロセッサと、前記第１の領域に配置され、前記第１のプロセッサと接続された読取デバイスと、前記第２の領域に配置され、前記第１のプロセッサと接続された第２のプロセッサと、前記第２の領域に配置され、前記第２のプロセッサと接続されたスピーカと、を備え、前記第１のプロセッサは、前記読取デバイスから読取情報を取得し、決済に関する処理の情報を前記第２のプロセッサに送り、前記第２のプロセッサは、前記決済に関する処理に基づいて、前記決済に関する音である決済音の情報を前記スピーカに送り、前記スピーカは、前記決済音の情報に基づく決済音を出力する、情報処理装置である。
【０００７】
本開示の一態様は、情報処理装置内のセキュリティ保護領域である第１の領域に配置された第１のプロセッサが、決済に関する処理の情報を、前記第１の領域に配置された読取デバイスから読取情報を取得し、前記情報処理装置内の前記セキュリティ保護領域の外側にある第２の領域に配置された第２のプロセッサに送り、前記第２のプロセッサが、前記決済に関する処理に基づいて、前記決済に関する音である決済音の情報を、前記第２の領域に配置されたスピーカに送り、前記スピーカが、前記決済音の情報に基づく決済音を出力する、情報処理方法である。
【発明の効果】
【０００８】
本開示によれば、決済に係るセキュリティを高く維持しつつ、簡単な構成で、決済に関連する音を出力できる。
【図面の簡単な説明】
【０００９】
【図１Ａ】第１の実施形態における決済端末の外観例を示す上面図
【図１Ｂ】決済端末の外観例を示す側面図
【図１Ｃ】決済端末の外観例を示す正面図
【図２Ａ】第１カードスロットの使用方法の一例を示す上面図
【図２Ｂ】第１カードスロットの使用方法の一例を示す側面図
【図３Ａ】第２カードスロットの使用方法の一例を示す上面図
【図３Ｂ】第２カードスロットの使用方法の一例を示す側面図
【図４Ａ】決済端末を用いた非接触型決済の使用方法の一例を示す上面図
【図４Ｂ】決済端末を用いた非接触型決済の使用方法の一例を示す側面図
【図５】タッチパネルの一例を示す図
【図６】決済端末の外観例を示す背面斜視図
【図７】決済端末の電気的な構成例を示すブロック図
【図８】第１ＣＰＵと第２ＣＰＵとの接続例と、第２ＣＰＵと外部装置との接続例と、を示す図
【図９】決済端末の動作例を示すシーケンス図
【図１０】決済端末の状態遷移を説明するための図
【発明を実施するための形態】
【００１０】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。尚、添付図面及び以下の説明は、当業者が本開示を十分に理解するために提供されるものであり、これらにより特許請求の範囲に記載の主題を限定することは意図されていない。
【００１１】
図１Ａは、第１の実施形態における決済端末１００の外観例を示す上面図である。図１Ｂは、決済端末１００の外観例を示す側面図である。図１Ｃは、決済端末１００の外観例を示す正面図である。
【００１２】
決済端末１００は、本体１０を有する。本体１０は、例えば概して箱型の形状を呈する。図１Ａ、図１Ｂ、及び図１Ｃには、決済端末１００の前面１Ａ、側面１Ｂ、側面１Ｃ、後面１Ｄが示されている。例えば商品の購入者が、前面１Ａ側から決済端末１００を操作する。例えば商品の購入の登録を行う店舗の店員等が、後面１Ｄ側から決済端末１００を操作する。購入者は、店舗の客であってよい。
【００１３】
決済端末１００は、前面１Ａ側に、第１タッチパネル１２、第１ＬＥＤ（light emitting diode）１３、ＮＦＣ（Near field communication）アンテナ１５、第１カードスロット１６ｓ、第２カードスロット１７ｓ、及びカメラ２５を備える。決済端末１００は、後面１Ｄ側に、第２タッチパネル２２及び第２ＬＥＤ２３を備える。
【００１４】
決済端末１００は、購入者が複数の決済方式を選択することができる、複合タイプである。決済端末１００は、例えば、店舗のカウンタ上の載置面α上に載置された状態で用いられてよい。
【００１５】
複数の決済方式は、例えば、クレジットカード決済、電子マネー決済、二次元コード（例えばＱＲコード（登録商標））決済、及び現金決済を含む。クレジットカード決済は、例えば、磁気カード決済、接触ＩＣカード決済、及び非接触ＩＣカード決済を含む。電子マネーは、複数種類の電子マネーが存在してよい。電子マネー決済及び非接触ＩＣカード決済は、非接触通信（例えば近距離無線通信：ＮＦＣ（Near field communication））を用いて決済が行われるので、ここではまとめて非接触型決済とも称する。
【００１６】
複数の決済方式は、対応する複数の決済インタフェースのそれぞれを用いて行われる。複数の決済インタフェースは、例えばクレジットカード、電子マネーカードＣ３２、二次元コード、及び現金を含む。クレジットカードは、例えば、磁気カードＣ１、接触ＩＣカードＣ２、及び非接触ＩＣクレジットカードＣ３１を含む。
【００１７】
磁気カードＣ１は、第１カードスロット１６ｓに挿入されて決済に使用される。接触ＩＣカードＣ２は、第２カードスロット１７ｓに挿入されて決済に使用される。非接触ＩＣクレジットカードＣ３１及び電子マネーカードＣ３２は、ＮＦＣアンテナ１５に接近させて決済に使用される。非接触ＩＣクレジットカードＣ３１及び電子マネーカードＣ３２を、まとめて「非接触ＩＣカードＣ３」とも称する。
【００１８】
決済端末１００には、載置面αから高さ方向に、この載置面αの近くから順に、第１カードスロット１６ｓ、第２カードスロット１７ｓ、及び第１タッチパネル１２が配置される。第１タッチパネル１２の周囲に、ＮＦＣアンテナ１５が配置される。
【００１９】
また、決済端末１００には、第１カードスロット１６ｓ、第２カードスロット１７ｓ、第１タッチパネル１２、及びＮＦＣアンテナ１５が、購入者に対向する前面１Ａ側に、集合して配置される。この場合、購入者は、眼前に並ぶ複数のデバイスに対応する複数の決済方式のうち、いずれかの決済方式を容易に選択し易くなる。複数の決済方式に対応する複数のデバイスが一か所に集まっているため、各決済方式に従った決済が、スムーズに実行可能である。
【００２０】
また、決済端末１００には、第２タッチパネル２２が配置される。第２タッチパネル２２は、例えば店員に使用され、店員に対向する後面１Ｄ側に配置される。
【００２１】
また、決済端末１００は、側面から見て、決済端末１００の上方が山形状となっている（図１Ｂ参照）。山形状は第１面と第２面を有する。第１面が、第１タッチパネル１２の面を有する面であり、購入者が決済に用いる操作面である。第２面が、第２タッチパネル２２の面を有する面であり、店員が決済に用いる操作面である。
【００２２】
この構成により、載置面α上に載置された決済端末１００を、対向状態となった購入者及び店員が同時に操作できる。例えば、決済端末１００が店舗のカウンタ上に設置された場合、カウンタ内に位置する店員と、カウンタ外に位置する購入者とが、対向状態のまま、決済端末１００を操作できる。
【００２３】
また、決済端末１００には、前面１Ａ側に、カメラ２５及び第１ＬＥＤ１３が配置される。カメラ２５及び第１ＬＥＤ１３は、前面１Ａ側において、第１タッチパネル１２よりも後面１Ｄ側、つまり山形状の頂上側に配置されてよいが、配置位置はこれに限られない。
【００２４】
また、決済端末１００には、後面１Ｄ側に、第２ＬＥＤ２３が配置される。第２ＬＥＤ２３は、後面１Ｄ側において、第２タッチパネル２２よりも前面１Ａ側、つまり山形状の頂上側に配置されてよいが、配置位置はこれに限られない。
【００２５】
なお、店員及び購入者の入力手段として、第１タッチパネル１２及び第２タッチパネル２２を示したが、決済端末１００がその他の入力手段（例えば物理的なキーやボタン）を備えてもよい。
【００２６】
また、決済端末１００は、決済端末１００の一部に、セキュリティ保護領域ＳＲ（図７参照）を有する。セキュリティ保護領域ＳＲは、決済端末１００におけるセキュリティ保護領域ＳＲ以外の領域と比較して、セキュリティが高くされた領域である。例えば、セキュリティ保護領域ＳＲは、耐タンパ性を有する。セキュリティ保護領域ＳＲは、ソフトウェア処理によって論理的にセキュリティが高くされてもよいし、ハードウェアの構造や仕組みによって物理的にセキュリティが高くされてもよい。セキュリティ保護領域ＳＲには、主に、カード等を用いた決済処理に用いられる部材が格納される。
【００２７】
図２Ａは、決済端末１００が備える第１カードスロット１６ｓの使用方法の一例を示す上面図である。図２Ｂは、決済端末１００が備える第１カードスロット１６ｓの使用方法の一例を示す側面図である。
【００２８】
購入者は、例えば、決済端末１００の前面１Ａ（正面）に対向して位置し、第１カードスロット１６ｓに対して載置面αに略平行である方向ｗに、磁気カードＣ１をスワイプする。磁気カードＣ１は、磁気ストライプＣ１１を少なくとも１つ備えている。一方、第１カードスロット１６ｓを有する第１カードリーダ１６（図７参照）には、磁気ヘッド１６ｈが配置される。この磁気ヘッド１６ｈに磁気ストライプＣ１１を接触させることにより、決済端末１００と磁気カードＣ１との間でデータの読み書きが行われる。
【００２９】
図３Ａは、決済端末１００が備える第２カードスロット１７ｓの使用方法の一例を示す上面図である。図３Ｂは、決済端末１００が備える第２カードスロット１７ｓの使用方法の一例を示す側面図である。購入者は、載置面αに略平行である方向ｖに、接触ＩＣカードＣ２を挿入する。接触ＩＣカードＣ２は、端子Ｃ２１を有するＩＣチップを備える。一方、図示は省略するが、第２カードスロット１７ｓは、その内部に接点端子を備える。ＩＣチップの端子Ｃ２１が接点端子と接触することで、決済端末１００と接触ＩＣカードＣ２との間でデータの読み書きが行われる。
【００３０】
図４Ａは、決済端末１００を用いた非接触型決済の使用方法の一例を示す上面図である。図４Ｂは、決済端末１００を用いた非接触型決済の使用方法の一例を示す側面図である。
【００３１】
非接触型決済を行う場合、購入者が、非接触ＩＣカードＣ３を、ＮＦＣアンテナ１５に接触又は近接させることで、非接触ＩＣカードＣ３が有するＩＣチップと、決済端末１００側のＮＦＣアンテナ１５との間で非接触通信が行われる。これにより、決済端末１００と非接触ＩＣカードＣ３との間でデータの読み書きが行われる。
【００３２】
図５は、第１タッチパネル１２の周辺の一例を示す図である。
【００３３】
図５に示すように、第１タッチパネル１２は、第１タッチパネル１２が設けられた面の全面にわたって設けられてもよいし、この面の一部に設けられていてもよい。また、第１タッチパネル１２は、各種データ、情報、又は画像を表示する表示機能を有する。よって、第１タッチパネル１２は、購入者に対して視覚情報を提供できる。なお、第１タッチパネル１２において、入力を検出する入力検出領域と各種表示を行う表示領域とが同じ領域でもよいし、少なくとも一部が異なる領域でもよい。
【００３４】
図６は、決済端末１００の外観例を示す背面斜視図である。決済端末１００は、背面側（載置面αと接する面側）に、例えば、スピーカ２４、プリンタ２６、プリンタ排出口２６ｐ、及び外部端子２７を備える。
【００３５】
図７は、決済端末１００の電気的な構成例を示すブロック図である。
【００３６】
決済端末１００は、セキュリティ保護領域ＳＲを有する。決済端末１００は、セキュリティ保護領域ＳＲ内に、第１ＣＰＵ（Central Processing Unit）１１、第１タッチパネル１２、第１ＬＥＤ１３、ＮＦＣ＿ＩＣ１４、ＮＦＣアンテナ１５、第１カードリーダ１６、第２カードリーダ１７、及びメモリ１８を備える。決済端末１００は、セキュリティ保護領域ＳＲ外に、第２ＣＰＵ２１、第２タッチパネル２２、第２ＬＥＤ２３、スピーカ２４、カメラ２５、プリンタ２６、外部端子２７、及びメモリ２８を備える。
【００３７】
第１ＣＰＵ１１は、メモリ１８に保持されたプログラムを実行することで、各種機能を実現する。第１ＣＰＵ１１は、セキュリティ保護領域ＳＲ内の各部を統括して制御する。第１ＣＰＵ１１は、例えば、クレジットカード決済及び電子マネー決済に関する処理を行う。第１ＣＰＵ１１は、決済に関する処理を行う決済ＣＰＵとして機能する。また、第１ＣＰＵ１１は、第２ＣＰＵ２１との間でデータを送受し、第２ＣＰＵ２１と連携する。なお、第１ＣＰＵ１１は、プロセッサの一例であり、他のプロセッサであってもよい。
【００３８】
第１タッチパネル１２は、購入者の指等（物体の一例）の接触又は近接を入力（入力操作）として電気的に検出する入力検出機能を有する。第１タッチパネル１２は、例えば購入者による入力操作を受け付ける。第１タッチパネル１２は、例えば、クレジットカード決済におけるＰＩＮ入力（暗証番号の入力）の操作や電子サインの操作を受け付ける。
【００３９】
第１ＬＥＤ１３は、各種情報を報知するための表示を行う。第１ＬＥＤ１３は、様々な表示態様で表示してよい。表示態様は、例えば、表示色（例えば赤、緑、青）、表示タイミング（例えば決済処理中、決済完了時に表示）、表示パターン（例えば点灯、点滅、消灯）を含んでよい。第１ＬＥＤ１３は、例えば、決済に関する処理に係る表示を行う。
【００４０】
ＮＦＣ＿ＩＣ１４は、ＮＦＣアンテナ１５に対する処理を行う。例えば、ＮＦＣ＿ＩＣ１４は、ＮＦＣアンテナ１５への電力供給、ＮＦＣアンテナ１５を介したデータ通信を制御する。
【００４１】
ＮＦＣアンテナ１５は、例えばループコイルで形成される。ＮＦＣアンテナ１５は、ＮＦＣ＿ＩＣ１４から電力供給を受け、電波を発生する。ＮＦＣアンテナ１５から所定距離以内の領域は、ＮＦＣアンテナ１５と非接触通信可能な領域（非接触通信可能領域）である。非接触通信可能領域内に非接触ＩＣカードＣ３（非接触通信可能な通信媒体の一例）が配置されると、ＮＦＣアンテナ１５からの電波が非接触ＩＣカードＣ３に到達し、ＮＦＣアンテナ１５が非接触ＩＣカードＣ３に起動電力を与える。これにより、ＮＦＣアンテナ１５は、非接触ＩＣカードＣ３との間でデータを通信する。
【００４２】
また、ＮＦＣアンテナ１５で定義される面の中心位置と、第１タッチパネル１２で定義される面の中心位置とは、略一致してよい。これにより、第１タッチパネル１２に対して非接触ＩＣカードＣ３をかざすことで、ＮＦＣアンテナ１５と非接触ＩＣカードＣ３との間でデータを通信でき、購入者にとって操作が分かり易くなる。
【００４３】
ＮＦＣ＿ＩＣ１４は、ＮＦＣアンテナ１５を介して、非接触ＩＣクレジットカードＣ３１が保持する情報を取得する（読み取る）。ＮＦＣ＿ＩＣ１４は、この情報を非接触読取情報として、第１ＣＰＵ１１に送る。非接触ＩＣクレジットカードＣ３１が保持する情報及び非接触読取情報は、例えば、クレジットカードの識別番号を含む。また、ＮＦＣ＿ＩＣ１４は、ＮＦＣアンテナ１５を介して、電子マネーカードＣ３２が保持する情報を取得する（読み取る）。ＮＦＣ＿ＩＣ１４は、この情報を電子マネー読取情報として、第１ＣＰＵ１１に送る。電子マネーカードＣ３２が保持する情報及び電子マネー読取情報は、例えば、電子マネーカードＣ３２の識別番号を含む。
【００４４】
第１カードリーダ１６は、磁気カードリーダである。第１カードリーダ１６は、磁気カードＣ１が保持する情報を読み取り、読み取った情報を磁気読取情報として第１ＣＰＵ１１に送る。磁気カードＣ１が保持する情報及び磁気読取情報は、例えば、クレジットカードの識別番号を含む。
【００４５】
第２カードリーダ１７は、接触ＩＣカードリーダである。第２カードリーダ１７は、接触ＩＣカードＣ２が保持する情報を読み取り、読み取った情報を接触読取情報として第１ＣＰＵ１１に送る。接触ＩＣカードＣ２が保持する情報及び接触読取情報は、例えば、クレジットカードの識別番号、を含む。
【００４６】
メモリ１８は、例えば、ＲＯＭ（Read Only Memory）やＲＡＭ（Random Access Memory）を含んで構成されてよい。メモリ１８は、各種データ、情報、プログラムを有する。例えば、メモリ１８は、決済に関する処理の種別と決済に関する処理の表示の種別とが関連付けられた関連付け情報を保持してよい。関連付け情報は、テーブル形式でメモリ１８に保持されてもよい。例えば、関連付け情報には、決済処理の完了と決済完了の表示内容とが関連付けられた情報が含まれてよい。第１ＣＰＵ１１は、メモリ１８に保持されたこの関連付け情報を参照し、決済に関する処理の種別に基づいて、決済に関する処理の表示の種別（表示態様）を決定してよい。
【００４７】
第２ＣＰＵ２１は、メモリ２８に保持されたプログラムを実行することで、各種機能を実現する。第２ＣＰＵ２１は、セキュリティ保護領域ＳＲ外の各部を統括して制御する。第２ＣＰＵ２１は、例えば、二次元コード決済及び現金決済に関する処理、決済以外に関する処理を行う。したがって、第２ＣＰＵ２１は、汎用の処理を行う汎用ＣＰＵとして機能する。また、第２ＣＰＵ２１は、第１ＣＰＵ１１との間でデータを送受し、第１ＣＰＵ１１と連携する。第２ＣＰＵ２１は、プロセッサの一例であり、他のプロセッサであってもよい。
【００４８】
第２タッチパネル２２は、例えば店員による入力操作を受け付ける。例えば、商品購入における金額の入力や商品の購入個数の入力が行われる。第２ＣＰＵ２１は、例えば商品の金額や購入個数に基づいて、決済金額を算出する。なお、第２タッチパネル２２の基本的な構成は、第１タッチパネル１２と同様でよい。
【００４９】
第２ＬＥＤ２３は、各種情報を報知するための表示を行う。第２ＬＥＤ２３は、様々な表示態様で表示してよい。表示態様は、例えば、表示色（例えば赤、緑、青）、表示タイミング、表示パターン（例えば点灯、点滅、消灯）を含んでよい。第２ＬＥＤ２３は、例えば、決済以外の汎用の処理に係る表示を行う。
【００５０】
スピーカ２４は、各種音を出力し、例えば決済に関する処理に関する音（決済音とも称する）を出力する。スピーカ２４は、決済音を様々な態様で出力してよい。決済音の出力の態様は、音（周波数）の高低、音の出力タイミング（例えば暗証番号入力時、決済処理の完了時）、音の出力時間、音色、等を含んでよい。また、スピーカ２４は、決済音以外の音（例えば汎用の処理に係る音）も出力してよい。
【００５１】
また、決済に関する処理は、非接触ＩＣカードＣ３が保持するデータを読み取り又は書き込みを行うための非接触通信を含んでよい。この場合、決済音は、非接触通信が行われたことを示す通信完了音を含んでよい。また、決済に関する処理は、第１タッチパネル１２を用いた暗証番号の入力を含んでよい。この場合、暗証番号の入力が行われたことを示す暗証番号入力音を含んでよい。また、暗証番号入力音は、第１タッチパネル１２により入力が受け付けられる度に、出力されてよい（但し、その場合には、どのキーが押されても同じ音が出力される）。また、決済に関する処理は、例えば、第１ＣＰＵ１１及び第２ＣＰＵ２１が連携して実施する決済処理を含んでよい。クレジットカード決済方式の場合、第１ＣＰＵ１１、第２ＣＰＵ２１、及び決済センタの決済サーバが連携して決済処理を実施してもよい。決済音は、このような決済処理が完了したことを示す決済完了音を含んでよい。なお、決済に関する処理や決済音には、その他の処理や音が含まれてもよい。
【００５２】
カメラ２５は、被写体を撮像し、撮像画像を得る。カメラ２５は、例えば、購入者の携帯端末に表示された二次元コードを撮像し、撮像画像を第２ＣＰＵ２１に送る。第２ＣＰＵ２１は、この撮像画像を解析し、二次元コードが示す識別情報を認識する。
【００５３】
プリンタ２６は、例えば決済端末１００における処理（例えば決済処理）に関する情報を紙媒体に出力する。例えば、プリンタ２６は、決済処理後に、決済処理の結果をレシート等に印刷出力してよい。プリンタ２６により印刷された紙は、プリンタ排出口２６ｐから決済端末１００の外部に排出される。
【００５４】
外部端子２７は、各種ケーブル（例えばＬＡＮ（Local Area Network）ケーブル、ＵＳＢ（Universal Serial Bus）ケーブル、）を接続可能である。よって、外部端子２７は、各種ケーブルを介して各種の外部装置（例えばＰＯＳ、キャッシュドロワ）が接続可能であり、通信可能である。したがって、外部端子２７は、通信部として機能する。なお、通信部が、外部端子２７を介さず、無線通信（例えば無線ＬＡＮ通信、Ｂｌｕｔｏｏｔｈ（登録商標）通信）を行ってもよい。
【００５５】
メモリ２８は、例えば、ＲＯＭやＲＡＭを含んで構成されてよい。メモリ２８は、各種データ、情報、プログラムを有する。例えば、メモリ２８は、決済に関する処理の種別と決済音の種別とが関連付けられた関連付け情報を保持してよい。関連付け情報は、テーブル形式でメモリ２８に保持されてもよい。例えば、関連付け情報には、非接触通信と通信完了音とが関連付けられた情報が含まれてよい。関連付け情報には、暗証番号の入力と暗証番号入力音とが関連付けられた情報が含まれてよい。関連付け情報には、決済処理の完了と決済完了音とが関連付けられた情報が含まれてよい。
【００５６】
第２ＣＰＵ２１は、メモリに保持されたこの関連付け情報を参照し、決済に関する処理の種別（例えば近距離通信の完了、暗証番号の入力、決済処理の完了）に基づいて、決済音の種別（例えば通信完了音、暗証番号入力音、決済完了音）を決定してよい。
【００５７】
次に、第１ＣＰＵ１１及び第２ＣＰＵ２１について詳細に説明する。
【００５８】
第１ＣＰＵ１１は、決済に関する処理を行う。決済に関する処理は、クレジットカードの読み取りや、決済に関する情報（カードからの読取情報、暗証番号、等）に対する暗号処理を含んでよい。決済に関する処理は、磁気カードＣ１、接触ＩＣカードＣ２、及び非接触ＩＣカードＣ３との間でのデータの読み書きを含んでよい。決済に関する処理は、暗証番号等のセキュアな情報の入力及び処理を含んでよい。また、決済に関する処理は、電子マネーカードＣ３２の読み書き、電子マネー事業者のサーバ（電子マネーサーバとも称する）と通信される通信内容の生成や処理が含まれてよい。
【００５９】
第２ＣＰＵ２１は、決済端末１００全体における電源管理、第２ＬＥＤ２３やスピーカ２４を介した店員や購入者への各種表示や通知、第２タッチパネル２２を介した店員による操作の受け付けを行ってよい。また、第２ＣＰＵ２１は、通信部を介した外部装置との通信、アプリケーションによる各種機能を実現してよい。この各種機能は、ＰＯＳレジ機能、在庫及び発注業務機能、並びに日計及び月計業務機能を含んでよい。また、第２ＣＰＵ２１は、二次元コード決済を行ってよい。二次元コード決済では、バーコードの読み取りが行われてよい。また、第２ＣＰＵ２１は、通信部を介して外部装置としての決済サーバとの間で通信する。また、第２ＣＰＵ２１は、決済端末１００のメンテナンスやソフトウェア更新などの処理を行う。
【００６０】
また、第１ＣＰＵ１１から第２ＣＰＵ１２にデータ伝送される場合、第１ＣＰＵ１１は、セキュアな情報を暗号化し、暗号化されたデータを伝送する。セキュアな情報は、秘匿性の高い情報であり、例えば決済に関する情報である。
【００６１】
図８は、第１ＣＰＵ１１と第２ＣＰＵ２１との接続例と、第２ＣＰＵ２１と外部装置との接続例を示す図である。
【００６２】
第１ＣＰＵ１１と第２ＣＰＵ２１とは、単一の信号線で接続されてもよいし、多重（図８では二重）の信号線で接続されてもよい。多重の信号線には、ＵＳＢ、ＵＡＲＴ（Universal Asynchronous Receiver/Transmitter）、等が含まれる。
【００６３】
決済端末１００は、第１ＣＰＵ１１と第２ＣＰＵ２１とが多重の信号線で接続される場合、例えばＵＳＢとＵＡＲＴという２つのインタフェースの少なくとも一方を用いて、第１ＣＰＵ１１と第２ＣＰＵ２１との間でデータ伝送できる。よって、決済端末１００は、セキュリティ保護領域ＳＲ及びセキュリティ保護領域外の領域において、相互にデータの伝送が可能である。また、決済端末１００は、第１ＣＰＵ１１と第２ＣＰＵ２１とが信号線を介して相互に定期的にポーリングや所定のデータを通知することにより、他方のＣＰＵが正常に動作しているか否かを監視できる。
【００６４】
また、決済端末１００は、信号線にＵＡＲＴを用いることで、通信の信頼性を確保でき、金銭を扱う処理である決済に関する処理の信頼性を確保できる。また、ＵＡＲＴは比較的通信速度が低いが、決済に関する処理ではデータ量は多くなく、決済に関する処理に要求される通信速度を満足できる。また、ＵＡＲＴを用いることで、従来の決済端末との通信プロトコルの互換性も満足できる。また、ＵＳＢを用いる場合には、端末内部において切断され易いことがあるが、ＵＡＲＴは切断され難く信頼性が高い。
【００６５】
また、決済端末１００は、信号線にＵＳＢを用いることで、ＵＡＲＴと同様の効果を発揮できる。ここで、決済に関する処理を行うための決済アプリケーションは、適時更新される。決済アプリケーションの更新は、第２ＣＰＵ２１の主導により実施される。この場合、第２ＣＰＵ２１は、第１ＣＰＵ１１との間で、数十ＭＢ程度のデータ伝送が必要である。信号線にＵＡＲＴを用いる場合には、数十ＭＢ程度のデータ伝送に数分〜十数分のダウンタイムが必要である。これに対し、ＵＳＢは、ＵＡＲＴよりも高速にデータ伝送可能である。決済端末１００は、信号線にＵＳＢを用いることで、ＵＡＲＴと比較すると、決済アプリケーションの更新に係る処理を短時間で完結できる。また、決済端末１００は、ＵＳＢを用いた通信により、例えば、イメージの転送を実現できる。
【００６６】
第２ＣＰＵ２１と外部装置とは、通信部（例えば外部端子２７）を介して接続され、通信される。例えば、第２ＣＰＵ２１とＰＯＳやキャッシュドロアとの間では、ＵＳＢ通信やＢｌｕｅｔｏｏｔｈ（登録商標）通信が行われる。例えば、第２ＣＰＵ２１と決済サーバや電子マネーサーバとの間では、有線ＬＡＮ通信や無線ＬＡＮ通信が行われる。
【００６７】
次に、決済端末１００の動作例及び画面表示例について説明する。
【００６８】
図９は、決済端末１００の動作例を示すシーケンス図である。図９に含まれる処理は、決済に関する処理に含まれる。図１０は、第１タッチパネル１２及び第２タッチパネル２２に表示される画面表示の遷移例を示す図である。図１０では、第１タッチパネル１２は、店員側である加盟店側の入力操作の受け付け及び各種情報の表示に用いられる。また、第２タッチパネル２２は、購入者側である消費者側の入力操作の受け付け及び各種情報の表示に用いられる。なお、第１タッチパネル１２では、図９の処理の開始時には、所定の待機画面である画面Ｇ２１が表示される。
【００６９】
まず、第２タッチパネル２２は、決済に関する処理を開始するための決済開始操作を受け付け、決済開始操作を補助する決済開始操作画面の表示を行う（Ｓ１１）。決済開始操作は、取引情報（例えば決済金額）の入力操作を含んでよい。これに対応して、決済開始操作画面は、取引情報の入力操作を案内するための画面Ｇ１１を含んでよい。決済開始操作画面は、取引情報が入力された画面Ｇ１２を含んでよい。また、決済開始操作は、決済方式を選択するための入力操作を含んでよい。これに対応して、決済開始操作画面は、店員が購入者に対して決済方式に対応する決済インタフェース（各種カード）の操作方法（カードを挿す（挿入）、カードをタッチ（接触又は近接）、カードをスライド（スワイプ）、等）を案内するための画面Ｇ１３を含んでよい。
【００７０】
第２タッチパネル２２は、決済開始操作を受け、決済開始操作の情報を第２ＣＰＵ２１に送る（Ｓ１２）。第２ＣＰＵ２１は、決済開始操作の情報を取得し、決済開始操作に応じて、決済開始指示を第１ＣＰＵ１１に送る（Ｓ１３）。
【００７１】
第１ＣＰＵ１１は、決済開始指示を受け、起動指示を行う（Ｓ１４）。第１ＣＰＵ１１は、起動指示に従って、第１ＣＰＵ１１は、各カードが保持する情報を読み取る各デバイス（読取デバイスとも称する）へ、各読取デバイスが起動するための起動信号を送る（Ｓ１５）。各読取デバイスは、例えば、磁気カードＣ１が保持する情報を読み取る第１カードリーダ１６、接触ＩＣカードＣ２が保持する情報を読み取る第２カードリーダ１７、及び非接触ＩＣカードＣ３が保持する情報を読み取るＮＦＣ＿ＩＣ１４を含む。
【００７２】
各読取デバイスは、起動信号を取得すると、起動信号に従って起動する。各読取デバイスは、起動すると、各カードとの間でデータを送受可能な状態となる。第１タッチパネル１２は、購入者に決済インタフェースの操作方法を案内するための画面Ｇ２２を表示する。
【００７３】
購入者は、複数の読取デバイスのいずれかに対して、カードを操作する。カードの操作は、例えば、カードの挿入、接近若しくは接触、又はスワイプを含んでよい。それぞれの読取デバイスは、それぞれのカードが所定の位置に配置されると、各カードが保持する情報（データ）を読み取り（Ｓ１６）、読取情報を第１ＣＰＵ１１へ送る（Ｓ１７）。例えば、第１カードリーダ１６は、磁気カードＣ１が保持する情報を読み取り、磁気読取情報を第１ＣＰＵ１１へ送る。例えば、第２カードリーダ１７は、接触ＩＣカードＣ２が保持する情報を読み取り、接触読取情報を第１ＣＰＵ１１へ送る。例えば、ＮＦＣ＿ＩＣ１４は、非接触ＩＣカードＣ３が保持する情報を読み取り、非接触読取情報を第１ＣＰＵ１１へ送る。なお、第１タッチパネル１２は、いずれかの読取デバイスによる読取中（データ処理中の一例）には、いずれかの読取デバイスによるデータ処理中であることを示す画面Ｇ２３を表示する。
【００７４】
第１ＣＰＵ１１は、各読取デバイスから読取情報を取得する。第１ＣＰＵ１１は、ＮＦＣ＿ＩＣ１４から非接触読取情報を取得した際、非接触通信の完了の提示指示を行う（Ｓ１８）。第１ＣＰＵ１１は、非接触通信の完了の提示指示に従って、非接触通信が完了したことを示す通信完了情報を第２ＣＰＵ２１に送る（Ｓ１９）。第２ＣＰＵ２１は、第１ＣＰＵ１１から通信完了情報を取得し、メモリ２８を参照し、通信完了情報に関連付けられたＮＦＣ完了音を含むＮＦＣ完了音出力指示を、スピーカ２４に送る（Ｓ２０）。スピーカ２４は、ＮＦＣ完了音出力指示に従って、ＮＦＣ完了音（通信完了音）を出力する（Ｓ２１）。なお、ＮＦＣ完了音の出力に関する処理は、電子マネーカードＣ３２を用いた場合に実施され、他のカードを用いた場合には実施されなくてもよい。
【００７５】
また、非接触通信が完了したことを示す通信完了情報及び通信完了音は、非接触通信により非接触ＩＣカードＣ３からのデータの読み取りが完了したことを示してよい。
【００７６】
第１ＣＰＵ１１は、第１ＣＰＵ１１が読取情報を取得した際、決済で用いられる暗証番号の入力指示を第１タッチパネル１２に送る（Ｓ２２）。第１タッチパネル１２は、暗証番号の入力指示に従って、暗証番号の入力操作を案内する画面Ｇ２４を表示する。
【００７７】
また、第１ＣＰＵ１１は、第１ＣＰＵ１１が読取情報を取得した際、読取情報を取得した旨を第２ＣＰＵ２１に通知する。第２ＣＰＵ２１は、この通知に応じて、第２タッチパネル２２に対し、画面Ｇ１４を表示するよう表示指示を送る。画面Ｇ１４は、暗証番号の入力の待機中であることを示す画面である。第２タッチパネル２２は、この表示指示に従って画面Ｇ１４を表示する。
【００７８】
ユーザは、画面Ｇ２４を参照して、第１タッチパネル１２に対して暗証番号を入力する。第１タッチパネル１２は、暗証番号の入力操作を受け付ける（Ｓ２３）。第１タッチパネル１２は、入力操作により得られた暗証番号を、第１ＣＰＵ１１に送る（Ｓ２４）。
【００７９】
第１ＣＰＵ１１は、暗証番号の入力に応じた提示指示を行う（Ｓ２５）。第１ＣＰＵ１１は、暗証番号の入力に応じた提示指示に従って、暗証番号が入力されたことを示す暗証番号の入力情報を第２ＣＰＵ２１に送る（Ｓ２６）。第２ＣＰＵ２１は、暗証番号の入力情報を取得し、メモリ２８を参照し、暗証番号の入力情報に関連付けられた暗証番号入力音を含む暗証番号入力音出力指示を、スピーカ２４に送る（Ｓ２７）。スピーカ２４は、暗証番号入力音出力指示に従って、暗証番号入力音を出力する（Ｓ２８）。
【００８０】
なお、第１ＣＰＵ１１は、暗証番号が複数桁存在する場合、暗証番号が入力される度に暗証番号の入力情報を第２ＣＰＵ２１に送ってよい。この場合、スピーカ２４は、各桁の暗証番号が入力される度に、暗証番号入力音を出力する。つまり、暗証番号の桁数分、暗証番号入力音が鳴動される。また、第１ＣＰＵ１１は、暗証番号の全ての入力が完了してから、暗証番号の入力情報を第２ＣＰＵ２１に送ってもよい。この場合、スピーカ２４は、全ての暗証番号が入力された後に、暗証番号入力音を出力する。つまり、暗証番号の桁数に関わらず、暗証番号入力音が１回鳴動される。
【００８１】
なお、暗証番号の入力は、例えば、接触ＩＣカード決済の場合に実施され、その他の決済方式の場合には省略されてもよい。また、磁気カード決済の場合、暗証番号の入力の代わりに、電子サインの入力が行われてよい。電子サインの入力についても、暗証番号の入力と同様に、電子サインの入力に関する処理（例えば、電子サインの入力情報の通知、電子サインの入力音の決定、電子サインの入力音の出力）が行われてよい。なお、電子サインの入力に関する処理は、決済処理の完了後に行われてもよい。
【００８２】
第１ＣＰＵ１１は、第２ＣＰＵ１２と連携して決済処理を行う（Ｓ２９）。決済処理は、決済方式に応じて異なる。
【００８３】
例えば、磁気カード決済の場合、磁気読取情報を用いて決済処理が実行される。決済処理は、決済端末１００の第１ＣＰＵ１１及び第２ＣＰＵ２１並びに決済センタの決済サーバにより、連携して実行される。
【００８４】
この決済処理では、例えば以下の処理が行われる。第１ＣＰＵ１１は、磁気読取情報を暗号化して第２ＣＰＵ２１に送る。第２ＣＰＵ２１は、通信部を介して、暗号化された磁気読取情報を含む決済要求情報を決済サーバに送信する。この決済要求情報は、例えば、クレジットカードの識別番号、決済金額、等を含んでよい。決済サーバは、決済端末１００から決済要求情報を受信し、決済サーバが保持する情報と照合し、決済を試みる磁気カードＣ１による決済の許否を判定する。この決済が許可された場合、決済サーバは、この磁気カードＣ１による決済を実行し、商品購入の取引を完了する。決済サーバは、決済の完了通知を決済端末１００に送信する。第２ＣＰＵ２１は、通信部を介して決済の完了通知を受信すると、第１ＣＰＵ１１に送る。第１ＣＰＵ１１は、第２ＣＰＵ２１から決済の完了通知を受けると、決済処理を完了する。なお、決済処理の流れは、この例示に限られない。
【００８５】
例えば、接触ＩＣカード決済の場合、接触読取情報及びＰＩＮを用いて決済処理が実行される。決済処理は、決済端末１００の第１ＣＰＵ１１及び第２ＣＰＵ２１並びに決済センタの決済サーバにより、連携して実行される。
【００８６】
この決済処理では、例えば以下の処理が行われる。第１ＣＰＵ１１は、接触読取情報及びＰＩＮを暗号化して第２ＣＰＵ２１に送る。第２ＣＰＵ２１は、通信部を介して、暗号化された接触読取情報及びＰＩＮを含む決済要求情報を決済サーバに送信する。この決済要求情報は、例えば、クレジットカードの識別番号、決済金額、ＰＩＮ、等を含んでよい。決済サーバは、決済端末１００から決済要求情報を受信し、決済サーバが保持する情報と照合し、決済を試みる接触ＩＣカードＣ２による決済の許否を判定する。この決済が許可された場合、決済サーバは、この接触ＩＣカードＣ２による決済を実行し、商品購入の取引を完了する。決済サーバは、決済の完了通知を決済端末１００に送信する。第２ＣＰＵ２１は、通信部を介して決済の完了通知を受信すると、第１ＣＰＵ１１に送る。第１ＣＰＵ１１は、第２ＣＰＵ２１から決済の完了通知を受けると、決済処理を完了する。なお、決済処理の流れは、この例示に限られない。
【００８７】
例えば、非接触ＩＣクレジットカード決済の場合、第１ＣＰＵ１１及び第２ＣＰＵ２１は、非接触読取情報を用いて決済処理が実行される。決済処理は、決済端末１００の第１ＣＰＵ１１及び第２ＣＰＵ２１並びに決済センタの決済サーバにより、連携して実行される。
【００８８】
この決済処理では、例えば以下の処理が行われる。第１ＣＰＵ１１は、非接触読取情報を暗号化して第２ＣＰＵ２１に送る。第２ＣＰＵ２１は、通信部を介して、暗号化された非接触読取情報を含む決済要求情報を決済サーバに送信する。この決済要求情報は、例えば、クレジットカードの識別番号、決済金額、等を含んでよい。決済サーバは、決済端末１００から決済要求情報を受信し、決済サーバが保持する情報と照合し、決済を試みる非接触ＩＣクレジットカードＣ３１による決済の許否を判定する。この決済が許可された場合、決済サーバは、この非接触ＩＣクレジットカードＣ３１による決済を実行し、商品購入の取引を完了する。決済サーバは、決済の完了通知を決済端末１００に送信する。第２ＣＰＵ２１は、通信部を介して決済の完了通知を受信すると、第１ＣＰＵ１１に送る。第１ＣＰＵ１１は、第２ＣＰＵ２１から決済の完了通知を受けると、決済処理を完了する。なお、決済処理の流れは、この例示に限られない。
【００８９】
例えば、電子マネー決済の場合、第１ＣＰＵ１１は、電子マネー読取情報を用いて決済処理を実行する。
【００９０】
この決済処理では、例えば以下の処理が行われる。第１ＣＰＵ１１は、第２ＣＰＵ２１から決済金額を取得する。第１ＣＰＵ１１は、ＮＦＣ＿ＩＣ１４及びＮＦＣアンテナ１５を介して電子マネーカードＣ３２が保持する保有金額を読み取り、保有金額から決済金額を減算し、減算結果の金額を、ＮＦＣ＿ＩＣ１４及びＮＦＣアンテナ１５を介して電子マネーカードＣ３２に書き込む。これにより、電子マネーカードＣ３２を用いた決済処理が完了する。なお、決済処理の流れは、この例示に限られない。
【００９１】
決済処理において、第２ＣＰＵ２１は、通信部を介して決済サーバとの間で通信接続すると、第２タッチパネル２２に対し、接続中であることを示す画面Ｇ１５を表示するよう表示指示を送る。第２タッチパネル２２は、この表示指示に従って画面Ｇ１５を表示する。そして、第２ＣＰＵ２１は、通信部を介して決済処理中であることを第１ＣＰＵ１１に通知する。
【００９２】
第１ＣＰＵ２１は、第２ＣＰＵ２１からの通知を取得すると、第１タッチパネル１２に対し、画面Ｇ２５を表示するよう表示指示を送る。画面Ｇ２５は、通信部を介して決済処理中であることを示すである。第１タッチパネル１２に通知する。第１タッチパネル１２は、この表示指示に従って画面Ｇ２５を表示する。
【００９３】
第１ＣＰＵ１１は、決済処理の完了を認識すると、決済完了通知（決済処理の完了情報）を第２ＣＰＵ２１へ送る（Ｓ３０）。第２ＣＰＵ２１は、決済処理の完了情報を取得すると、メモリ１８を参照し、決済処理の完了情報に関連付けられた決済完了音を含む決済完了音出力指示を、スピーカ２４に送る（Ｓ３１）。スピーカ２４は、決済完了音出力指示に従って、決済完了音を出力する（Ｓ３２）。なお、電子マネー決済の場合、決済完了音の出力に関する処理が省略されてよい。
【００９４】
また、第１ＣＰＵ１１は、決済処理の完了を認識すると、決済処理が完了したことを示す決済完了表示指示を第１ＬＥＤ１３に送る（Ｓ３３）。この場合、第１ＣＰＵ１１は、メモリ１８を参照し、決済処理の完了に関連付けられた決済処理の完了表示の表示態様を決定してよい。決済処理の完了表示の表示態様は、決済完了表示指示に含まれてよい。第１ＬＥＤ１３は、決済完了表示指示に従って、決済完了の表示を行う（Ｓ３４）。例えば、第１ＬＥＤ１３は、決済処理の完了を示すように所定の色で点灯する。なお、電子マネー決済の場合、決済完了の表示に関する処理が省略されてよい。
【００９５】
また、第１ＣＰＵ１１は、決済処理の完了を認識すると、第１タッチパネル１２に対し、決済処理が完了したことを示す画面Ｇ２６を表示するよう表示指示を送る。第１タッチパネル１２は、この表示指示に従って画面Ｇ２６を表示する。同様に、第２ＣＰＵ２１は、決済処理の完了が通知されると、第２タッチパネル２２に対し、画面Ｇ１６を表示するよう表示指示を送る。画面Ｇ１６は、決済処理が完了（つまり取引が完了）したことを示す画面である。第２タッチパネル２２は、この表示指示に従って画面Ｇ１６を表示する。
【００９６】
画面Ｇ２６の表示の後、第１ＣＰＵ１１は、第１タッチパネル１２に対し、カードを取ることを案内する画面Ｇ２７を表示するよう表示指示を送る。第１タッチパネル１２は、この表示指示に従って画面Ｇ２７を表示する。決済端末１００は、画面Ｇ２８の後、画面Ｇ２１に遷移させ、決済に関する処理を反復してよい。
【００９７】
画面Ｇ１６の表示の後、第２ＣＰＵ２１は、第２タッチパネル２２に対し、画面Ｇ１７を表示するよう表示指示を送る。画面Ｇ１７は、購入者がカードを取ることを忘れないように店員に案内する画面である。第２タッチパネル２２は、この表示指示に従って画面Ｇ１７を表示する。
【００９８】
第２ＣＰＵ２１は、プリンタ２６に対し、決済処理の結果をレシート等に印刷するよう印刷指示を送る。プリンタ２６は、印刷指示に従って、決済処理の結果を印刷する。この場合、第２ＣＰＵ２１は、第２タッチパネル２２に対し、決済処理の結果を印刷中であることを示す画面Ｇ１８を表示するよう表示指示を送る。第２タッチパネル２２は、この表示指示に従って画面Ｇ１８を表示する。決済端末１００は、画面Ｇ１８の後、画面Ｇ１１に遷移させ、決済に関する処理を反復してよい。
【００９９】
次に、本実施形態の決済端末１００と比較例の決済端末とを比較説明する。
【０１００】
第１比較例として、決済端末が、決済音を第１ＣＰＵに接続された第１スピーカから出力し、その他の音（例えば汎用の処理に係る音）を第２ＣＰＵに接続された第２スピーカから出力するとする。決済端末１００は、第１比較例と比較すると、スピーカ２４が第１ＣＰＵ１１に接続されずに第２ＣＰＵ２１に接続されるので、決済音の出力に関し、汎用の処理との連携がし易くなる。また、スピーカ２４が１つで済むので、決済端末１００の構成を簡素化できる。
【０１０１】
第２比較例として、決済端末が、決済音とその他の音（例えば汎用の処理に係る音）を汎用ＣＰＵに接続された第２スピーカから出力するが、第１ＣＰＵと第２ＣＰＵとが連携していないとする。この場合、第２比較例の決済端末は、決済音とその他の音とを合成するためのミキサを設け、ミキサがそれぞれの音の信号を加算したり音出力の切り替えを行ったりする必要がある。これに対し、決済端末１００は、第１ＣＰＵ１１と第２ＣＰＵ２１とが連携することで、ミキサを不要にでき、決済端末１００の構成を簡素化できる。また、決済端末１００は、ミキサによる音出力の切り替えが不要となるので、音出力の切り替えの際に発生する音（例えば「ブチッ」という音）の発生を抑制できる。
【０１０２】
以上のように、本実施形態の決済端末１００（情報処理装置の一例）は、セキュリティ保護領域ＳＲである第１の領域と、セキュリティ保護領域ＳＲの外側にある第２の領域と、を有する。決済端末１００は、第１の領域に配置された第１ＣＰＵ１１（第１のプロセッサの一例）と、第２の領域に配置され、第１ＣＰＵ１１と接続された第２ＣＰＵ２１（第２のプロセッサの一例）と、第２の領域に配置され、第２ＣＰＵ２１と接続されたスピーカ２４と、を備える。第１ＣＰＵ１１は、決済に関する処理の情報を第２ＣＰＵ２１に送る。第２ＣＰＵ２１は、決済に関する処理に基づいて、決済に関する音である決済音の情報をスピーカ２４に送る。スピーカ２４は、決済音の情報に基づく決済音を出力する。
【０１０３】
これにより、決済端末１００は、セキュリティ保護領域ＳＲ内とセキュリティ保護領域ＳＲ外とにおいて、それぞれプロセッサが配置される場合でも、秘匿性の高いデータと秘匿性の低い汎用のデータとを、セキュリティ保護領域ＳＲの内部と外部とでそれぞれ受渡できる。よって、決済端末１００は、セキュリティ保護領域ＳＲ外に汎用のスピーカ２４が配置される場合でも、秘匿性の高い決済に基づく決済音をスピーカ２４から出力できる。よって、決済端末１００は、決済に係るセキュリティを高く維持しつつ、簡単な構成で、決済に関連する音を出力できる。
【０１０４】
また、第２ＣＰＵ２１は、決済に関する処理の種別に基づいて、決済音の種別を決定してよい。スピーカ２４は、決定された決済音の種別に従って、決済音を出力してよい。
【０１０５】
これにより、決済端末１００では、第１ＣＰＵ１１は、決済に関する処理の情報を送ればよく、第２ＣＰＵ２１が、どのような音を出力するかを決定できる。例えば、第１ＣＰＵ１１が第２ＣＰＵ２よりも処理能力が低い場合、処理効率の良い決済音の出力を実施できる。また、決済に関する処理に応じて、異なる決済音が出力されることで、店員及び利用者が、意図した処理が行われているかどうかを、出力される音により確認できる。
【０１０６】
また、第１の領域に配置され、決済に用いられる第１タッチパネル１２（操作部の一例）を備えてよい。決済音は、決済のための暗証番号（認証情報の一例）が入力されたことを示す暗証番号入力音（認証情報入力音の一例）を含んでよい。第１ＣＰＵ１１は、第１タッチパネル１２を介して暗証番号の入力情報を取得し、暗証番号の入力情報を第２ＣＰＵ２１に送ってよい。第２ＣＰＵ２２は、暗証番号の入力情報に基づいて、暗証番号入力音の情報をスピーカ２４に送ってよい。スピーカ２４は、暗証番号入力音を出力してよい。
【０１０７】
これにより、決済端末１００は、セキュリティが確保された暗証番号の入力を報知する認証情報入力音を出力できる。
【０１０８】
また、決済端末１００は、第１の領域に配置され、決済に用いられるＮＦＣ＿ＩＣ１４（非接触通信部の一例）を備えてよい。決済音は、ＮＦＣ＿ＩＣ１４により通信（接触通信）されたことを示す通信完了音を含んでよい。第１ＣＰＵ１１は、ＮＦＣ＿ＩＣ１４により通信されたことを示す通信完了情報を取得し、通信完了情報を前記第２のプロセッサに送ってよい。第２ＣＰＵ２１は、通信完了情報に基づいて、通信完了音の情報をスピーカ２４に送り、スピーカ２４は、通信完了音を出力してよい。
【０１０９】
これにより、決済端末１００は、セキュリティが確保された非接触通信の完了を報知する通信完了音を出力できる。
【０１１０】
また、決済音は、決済に係る決済処理が完了したことを示す決済完了音を含んでよい。第１ＣＰＵ１１は、決済処理が完了した場合、決済処理が完了したことを示す決済完了情報を第２ＣＰＵ２１に送ってよい。第２ＣＰＵ２１は、決済完了情報に基づいて、決済完了音の情報をスピーカ２４に送ってよい。スピーカ２４は、決済完了音を出力してよい。
【０１１１】
これにより、決済端末１００は、セキュリティが確保された決済処理の完了を決済完了音により報知できる。なお、決済処理の完了は、第１ＣＰＵ１１により自動的に認識してもよいし、第１タッチパネル１２による決済完了の入力操作の検出に基づいて第１ＣＰＵ１１により認識されてもよい。
【０１１２】
また、第１ＣＰＵ１１と第２ＣＰＵ２１とは、多重の信号線により接続されてよい。
【０１１３】
これにより、決済端末１００は、少なくとも１つの信号線がデータ伝送できれば、セキュリティ保護領域ＳＲの内部と外部とでデータ伝送を送受できる。よって、一部の信号線に不具合が生じても、セキュリティ保護領域ＳＲの内部と外部とで安定してデータ伝送でききる。また、決済端末１００は、信頼性の高いデータ伝送を行う信号線（例えばＵＡＲＴ）や伝送容量の大きいデータ伝送を行う信号線（例えばＵＳＢ）を介して、データ伝送できる。よって、決済端末１００は、例えば用途に応じて信号線を使い分け、好適なデータ伝送を実現できる。
【０１１４】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。また、発明の趣旨を逸脱しない範囲において、上記実施形態における各構成要素を任意に組み合わせてもよい。
【０１１５】
上記実施形態では、決済端末１００は、決済音として、ＮＦＣ完了音、暗証番号入力音、決済完了音を例示したが、その他の決済に関する音を出力してもよい。
【０１１６】
上記実施形態では、ＮＦＣ＿ＩＣ１４、第１カードリーダ１６、及び第２カードリーダ１７については、カードとの間でデータの読み取りを行うことを主に説明したが、データの書き込みを行ってもよい。つまり、ＮＦＣ＿ＩＣ１４、第１カードリーダ１６、及び第２カードリーダ１７は、少なくともデータの読み取りが可能であり、データの書き込みが可能であってもよい。
【０１１７】
上記実施形態では、図１〜図６の示した外観構成の決済端末１００を例示したが、決済端末１００の外観構成はこれに限られない。
【０１１８】
また、上記実施形態は、上述した実施の形態に係る情報処理方法の機能を実現するプログラムを、ネットワーク或いは各種記憶媒体を介してコンピュータである情報処理装置に供給し、この情報処理装置のプロセッサが読み出して実行するプログラム、及びこのプログラムが記憶された記録媒体も適用範囲としてよい。
【０１１９】
また、上記実施形態では、プロセッサは、物理的にどのように構成してもよい。また、プログラム可能なプロセッサを用いれば、プログラムの変更により処理内容を変更できるので、プロセッサの設計の自由度を高めることができる。プロセッサは、１つの半導体チップで構成してもよいし、物理的に複数の半導体チップで構成してもよい。複数の半導体チップで構成する場合、上記実施形態の各制御をそれぞれ別の半導体チップで実現してもよい。この場合、それらの複数の半導体チップで１つのプロセッサを構成すると考えることができる。また、プロセッサは、半導体チップと別の機能を有する部材（コンデンサ等）で構成してもよい。また、プロセッサが有する機能とそれ以外の機能とを実現するように、１つの半導体チップを構成してもよい。また、複数のプロセッサが１つのプロセッサで構成されてもよい。
【産業上の利用可能性】
【０１２０】
本開示は、決済に係るセキュリティを高く維持しつつ、簡単な構成で、決済に関連する音を出力できる情報処理装置及び情報処理方法等に有用である。
【符号の説明】
【０１２１】
１００  決済端末
１Ａ    前面
１Ｂ    側面
１Ｃ    側面
１Ｄ    後面
１０    本体
１１    第１ＣＰＵ
１２    第１タッチパネル
１３    第１ＬＥＤ
１４  ＮＦＣ＿ＩＣ
１５    ＮＦＣアンテナ
１６    第１カードリーダ
１６ｈ  磁気ヘッド
１６ｓ  第１カードスロット
１７    第２カードリーダ
１７ｓ  第２カードスロット
１８  メモリ
２１    第２ＣＰＵ
２２    第２タッチパネル
２３    第２ＬＥＤ
２４    スピーカ
２５    カメラ
２６    プリンタ
２６ｐ  プリンタ排出口
２７    外部端子
２８    メモリ
Ｃ１    磁気カード
Ｃ１１  磁気ストライプ
Ｃ２    接触ＩＣカード
Ｃ２１  端子
Ｃ３    非接触ＩＣカード
Ｇ１１〜Ｇ１８、Ｇ２１〜Ｇ２７  画面
Ｈ      開口部
α      載置面
【要約】
【課題】決済に係るセキュリティを高く維持しつつ、簡単な構成で、決済に関連する音を出力できる情報処理装置を提供する。
【解決手段】情報処理装置は、セキュリティ保護領域である第１の領域と、セキュリティ保護領域の外側にある第２の領域と、を有する情報処理装置であって、第１の領域に配置された第１のプロセッサと、第２の領域に配置され、第１のプロセッサと接続された第２のプロセッサと、第２の領域に配置され、第２のプロセッサと接続されたスピーカと、を備え、第１のプロセッサは、決済に関する処理の情報を第２のプロセッサに送り、第２のプロセッサは、決済に関する処理に基づいて、決済に関する音である決済音の情報をスピーカに送り、スピーカは、決済音の情報に基づく決済音を出力する。
【選択図】図７【図１Ａ】
0006761966.tif 000002
【図１Ｂ】
0006761966.tif 000003
【図１Ｃ】
0006761966.tif 000004
【図２Ａ】
0006761966.tif 000005
【図２Ｂ】
0006761966.tif 000006
【図３Ａ】
0006761966.tif 000007
【図３Ｂ】
0006761966.tif 000008
【図４Ａ】
0006761966.tif 000009
【図４Ｂ】
0006761966.tif 000010
【図５】
0006761966.tif 000011
【図６】
0006761966.tif 000012
【図７】
0006761966.tif 000013
【図８】
0006761966.tif 000014
【図９】
0006761966.tif 000015
【図１０】
0006761966.tif 000016